(57)【特許請求の範囲】
【請求項１】
前面に商品を出し入れするための開口を有していて内部に商品を陳列可能な断熱箱体と、該断熱箱体の前側上端部を覆うように横方向に設けた光透過性のシェードと、該シェードの後側に設けたリフレクタと、前記シェードとリフレクタとの間に横方向に設けた蛍光灯と、該蛍光灯の上方に設けた前記蛍光灯用の安定器とを具えた冷凍・冷蔵ショーケースであって、前記リフレクタは、斜め下方に傾斜した上部傾斜部と、前記蛍光灯の上に位置する天井部と、前記蛍光灯の後側に位置する垂直な後背部とからなり、前記上部傾斜部にボックス挿通孔を設け、前記安定器を収納した安定器収納ボックスを、前記ボックス挿通孔の後側に固定し、前記ボックス挿通孔を覆う前カバーの上部に、左右両側に突出させて係合片を設け、該係合片を前記ボックス挿通孔に通して該ボックス挿通孔の両側縁に係合させ、前カバーの下部を後方に折り曲げて形成した当接板を前記リフレクタの天井部に下側からネジ止めするようにしたことを特徴とする冷凍・冷蔵ショーケース。
【発明の詳細な説明】
【０００１】
【発明の属する技術分野】
本発明は、コンビニエンスストア，スーパーマーケット等に設置され、商品を冷凍したり冷蔵したりしながら陳列する冷凍・冷蔵ショーケースに関するものである。
【０００２】
【従来の技術】
図８は、冷凍・冷蔵ショーケースの断面図である。図８に おいて、１はウレタンの発泡体よりなる断熱箱体、２は半透明のプラスチック板よりなるシェード、３は冷凍・冷蔵ショーケースの庫内を照明すると共に、シェード２を通して外部も照明する蛍光灯である。４は蛍光灯３の光を反射するリフレクタ、５は庫内に冷気を吐出する冷気吐出口、６は空気を吸い込むための吸い込み口、７は内部に冷却器を具えていて、吸い込み口６から吸い込んだ空気を冷却し、冷気吐出口５に送るための冷気通路である。８は商品陳列棚、９は内部に冷却ユニットや電装品を収納している基台、１０は基台９の前部を覆うキックプレートである。
【０００３】
蛍光灯３を点灯させるには安定器が必要であるが、その安定器として、近年は、インバータを用いた電子式安定器が用いられるようになっている。電子式安定器を用いれば、蛍光灯のちらつきがほとんどなくなる上、省エネルギーにもなるが、従来のコイル式安定器に比べてサイズが大きくなって、大きな収納スペースが必要になる。そこで、従来の冷凍・冷蔵ショーケースでは、電子式安定器は、通常、ボックス内に収納してキックプレート１０の内側に収納していた。
【０００４】
そのようなショーケースでは、電子式安定器が故障したときに修理する必要があるが、その際、ショーケース下端部のキックプレート１０を外してから、電子安定器収納を収納したボックスを引き出して作業を行うことになるが、それらの作業をかがんだ姿勢で行う必要があり作業がしにくい。また、蛍光灯３がショーケースの上部にあるため、電子安定器をショーケースの下端部に設けると、電子安定器から蛍光灯３迄の配線が長くなり、コスト高になる。
【０００５】
そこで、ショーケースの前側上端部の蛍光灯３上のリフレクタ４の上の空間部に安定器収納ボックスを収納することが考えられる。図９は、リフレクタ上への安定器収納ボックスの取付例を示す図である。図９において、符号１〜７は、図８のものに対応しており、１１は天板前、１２は天板後、１３は天板前１１，天板後１２を支持するためのステイ、１４は蛍光灯取付金具、１５は吐出口サポート、１６リフレクタ固定金具、１７安定器収納ボックス、２０はシェードステイ、３３は前カバー、３４は前カバー３３を固定するためのネジである。
【０００６】
蛍光灯３の上側にあるリフレクタ４の天井面裏側に安定器収納ボックス１７をネジで固定している。また、リフレクタ４上部の斜め下方に傾斜している部分の、安定器収納ボックス１７の前に位置する部分にボックス挿通孔を設けている。該ボックス挿通孔は前カバー３３で塞いで、シェード２の表側からボックス挿通孔が見えないようにしている。その前カバー３３は、その前側からネジ３４をねじ込むことにより、リフレクタ４上部の傾斜している部分に固定する。
【０００７】
そして、電子安定器が故障した際には、シェード２と天板前１１を取り外し、ネジ３４を外して前カバー３３を取り外し、安定器収納ボックス１７をリフレクタ４に固定しているネジを外してから、前記ボックス挿通孔を通して安定器収納ボックス１７を前側に引き出せるようにする。
【０００８】
そのようにすれば、電子安定器を修理する際には、安定器収納ボックス１７をショーケースの前側に引き出して、修理作業を行うことができるようになる。
【０００９】
【発明が解決しようとする課題】
しかしながら、そのような冷凍・冷蔵ショーケースでは、ネジ３４が半透明のシェード２のすぐ後ろにあるため、シェード２の表側からネジの頭が見えてしまい、目障りになるという問題点があった。
【００１０】
本発明は、そのような問題点を解決し、ボックス挿通孔を塞ぐ前カバーを固定するためのネジがシェード２の表側から見えないようにすることを目的とするものである。
【００１１】
【課題を解決するための手段】
前記課題を解決するため、 本発明の冷凍・冷蔵ショーケースは、前面に商品を出し入れするための開口を有していて内部に商品を陳列可能な断熱箱体と、該断熱箱体の前側上端部を覆うように横方向に設けた光透過性のシェードと、該シェードの後側に設けたリフレクタと、前記シェードとリフレクタとの間に横方向に設けた蛍光灯と、該蛍光灯の上方に設けた前記蛍光灯用の安定器とを具えた冷凍・冷蔵ショーケースであって、前記リフレクタは、斜め下方に傾斜した上部傾斜部と、前記蛍光灯の上に位置する天井部と、前記蛍光灯の後側に位置する垂直な後背部とからなり、前記上部傾斜部にボックス挿通孔を設け、前記安定器を収納した安定器収納ボックスを、前記ボックス挿通孔の後側に固定し、前記ボックス挿通孔を覆う前カバーの上部に、左右両側に突出させて係合片を設け、該係合片を前記ボックス挿通孔に通して該ボックス挿通孔の両側縁に係合させ、前カバーの下部を後方に折り曲げて形成した当接板を前記リフレクタの天井部に下側か らネジ止めするようにしたことを特徴とする。このようにすると、ボックス挿通孔を塞ぐ前カバーを固定するためのネジがシェードの表側から見えなくなる。さらに、前カバーの上部もしっかり固定できる。
【００１２】
【発明の実施の形態】
以下、本発明の実施の形態を図面に基づいて詳細に説明する。図１は、本発明の一実施形態の要部断面図であり、図２は、冷凍・冷蔵ショーケースの上部斜視図である。符号は、図８，図９のものに対応しており、１８は前カバー、１９は止めネジである。
【００１３】
天板は前後で２分割し、天板前１１と天板後１２とに分けて設けるようにしており、天板後１２の前端部には、下方斜め後方に折り曲げられた折曲片１２Ａを設けている。そのような天板後１２を、断熱箱体１の上側前部に前後方向に設けられたステイ１３の上面に固定している。また、ショーケースの前上縁角部を覆う天板前１１には、その後端部に天板後１２の折曲片１２Ａと対向する折曲片１１Ａを設けており、天板後１２の折曲片１２Ａと天板前１１の折曲片１１Ａとをネジ止めすることにより、天板前１１を固定するようにしている。
【００１４】
蛍光灯３の電子安定器は、安定器収納ボックス１７の中に入れられて、ショーケースの前側上端部の蛍光灯３上のリフレクタ４の上の空間部に設置されている。安定器収納ボックス１７は、金属板を加工して作られていて、図３に示すように、左右両側に折曲片２１が設けられており、その折曲片２１の中央部にネジ孔２２が形成されている。そのネジ孔２２に止めネジを通して、リフレクタ４の上に安定器収納ボックス１７を固定している。
【００１５】
リフレクタ４は、図４に 示すように、上部が斜め前方に傾斜した上部傾斜部２３と、それに続く水平な天井部２４と、それに続く垂直な後背部２５とからなり、前記上部傾斜部２３にボックス挿通孔２６を設け、該ボックス挿通孔２６の後側に前記安定器収納ボックス１７を固定している。リフレクタ４の天井部２４のボックス挿通孔２６の後側の、安定器収納ボックス１７のネジ孔２２，２２に対応する位置にネジ孔２７，２７を形成している。そして、安定器収納ボックス１７のネジ孔２２，２２とリフレクタ４のネジ孔２７，２７とを合わせてリフレクタ４の天井部２４の上に安定器収納ボックス１７を置き、ネジ孔２２，２２とネジ孔２７，２７とにネジを通してネジ止めする。
【００１６】
前カバー１８は、図５に示すように、リフレクタ４の上部傾斜部２３と同じ角度を有する前側部分と、その下端部を折り曲げて形成した水平な当接板３０とを有しており、前側部分の左右両端には、係合片２９、２９を形成し、当接板３０の左右両端部にはネジ孔３１，３１を設けている。そのような前カバー１８上部の係合片２９をボックス挿通孔２６の上端部に挿入してその上側縁に係合させる。そして、図６に、リフレクタ４の天井部２４の下方から見た状態を示すように、当接板３０をリフレクタ４の天井部２４に重ね合わせて当接板３０のネジ孔３１，３１とリフレクタ４のネジ孔２８，２８とにネジ１９，１９を通してネジ止めすることにより、前カバー１８を固定する。
【００１７】
一方、安定器収納ボックス１７を取り出して安定器を修理する場合は、図７に示すように、まず、シェード２と天板前１１とを取り外した後、ネジ１９を外して前カバー１８を取り外す。そして、安定器収納ボックス１７をリフレクタ４に固定しているネジ３２，３２（図６）を外してから、安定器収納ボックス１７を前側に引き出す。
【００１８】
【発明の効果】
本発明は、以上説明したように構成されているので、次に記載するような効果を奏する。すなわち、ボックス挿通孔を覆う前カバーの下部を後方に折り曲げて形成した当接板をリフレクタの天井部に下側からネジ止めするようにしたので、ボックス挿通孔を塞ぐ前カバーを固定するためのネジがシェードの表側から見えなくなる。さらに、前カバーの上部に設けた係合片をボックス挿通孔に通してボックス挿通孔の両側縁に係合させるようにしたので、前カバーの上部もしっかり固定できる。
【図面の簡単な説明】
【図１】    本発明の一実施形態の要部断面図である。
【図２】    冷凍・冷蔵ショーケースの上部斜視図である。
【図３】    安定器収納ボックスを示す図である。
【図４】    リフレクタの安定器収納ボックス取付部を示す図である。
【図５】    前カバーを示す図である。
【図６】    安定器収納ボックス取付部を下方から見た図である。
【図７】    安定器収納ボックスの着脱説明図である。
【図８】    冷凍・冷蔵ショーケースの断面図である。
【図９】    リフレクタ上への安定器収納ボックスの取付例を示す図である。
【符号の説明】
１…断熱箱体
２…シェード
３…蛍光灯
４…リフレクタ
１６…リフレクタ固定金具
１７…安定器収納ボックス
１８…前カバー
１９…止めネジ
２１…折曲片
２２，２７，２８，３１…ネジ孔
２３…上部傾斜部
２４…天井部
２５…後背部
２６…ボックス挿通孔
２９…係合片
３０…当接板
【図１】
0003986233.tif 000002
【図２】
0003986233.tif 000003
【図３】
0003986233.tif 000004
【図４】
0003986233.tif 000005
【図５】
0003986233.tif 000006
【図６】
0003986233.tif 000007
【図７】
0003986233.tif 000008
【図８】
0003986233.tif 000009
【図９】
0003986233.tif 000010